(57)【特許請求の範囲】
【請求項１】
清掃シートと、柄と、この柄に連設された清掃シート取り付け台とを備え、
前記清掃シート取り付け台は、両側面が三角形面とされ、かつ周面に３つの矩形状面を有する三角柱体とされ、
前記清掃シート取り付け台に前記清掃シートを着脱自在に被せて使用される、掃除具であって、
前記清掃シート取り付け台は、側面視において、２つの等辺が底辺よりも長い二等辺三角形の形態とされていることにより、前記周面の３つの矩形状面のうち、前記２つの等辺に対応する２つの矩形状面は、前記底辺に対応する矩形状面よりもサイズが大きい２つの清掃面とされており、
前記清掃シート取り付け台の前記両側面は、その両側から前記柄によって回動自在に挾持された状態で前記柄の一端に連接されていることにより、前記２つの清掃面を上下反転させることが可能になっており、
前記清掃シート取り付け台の周面のうち、前記二等辺三角形の底辺に対応する矩形状面は、清掃シート固定具を装着するための溝及び凹部の少なくとも一方を有し、かつ前記清掃シート固定具を利用して前記清掃シートの両端部が係止保持される清掃シート用の保持面とされていることを特徴とする、清掃具。
【請求項２】
請求項１に記載の清掃具であって、
前記保持面に設けられた前記溝は、前記保持面の長手方向に延びた形態であり、
前記清掃シート固定具は、前記溝と同方向に延びるようにして前記溝に嵌合可能であり、
前記清掃シートの両端部を前記清掃シート固定具によって前記溝に押さえつけることによって、前記清掃シートを前記保持面に係止保持させることが可能とされている、掃除具。
【請求項３】
両側面が三角形面とされ、かつ周面に３つの矩形状面を有する三角柱体に形成されており、
前記周面に清掃シートが被せられるとともに、前記両側面に柄が連設されて使用される清掃具の清掃シート取り付け台であって、
この清掃シート取り付け台は、側面視において、２つの等辺が底辺よりも長い二等辺三角形の形態とされていることにより、前記周面の３つの矩形状面のうち、前記２つの等辺に対応する２つの矩形状面は、前記底辺に対応する矩形状面よりもサイズが大きい２つの清掃面とされており、
前記両側面は、その両側から前記柄によって回動自在に挾持された状態で前記柄の一端と連接されることにより、前記２つの清掃面を上下反転させることが可能であり、
前記周面のうち、前記二等辺三角形の底辺に対応する矩形状面は、清掃シート固定具を装着するための溝及び凹部の少なくとも一方を有し、かつ前記清掃シート固定具を利用して前記清掃シートの両端部が係止保持される清掃シート用の保持面とされていることを特徴とする、清掃シート取り付け台。
【請求項４】
請求項３に記載の清掃シート取り付け台であって、
前記保持面に設けられた前記溝は、前記保持面の長手方向に延びた形態であり、
前記清掃シート固定具は、前記溝と同方向に延びるようにして前記溝に嵌合可能であり、
前記清掃シートの両端部を前記清掃シート固定具によって前記溝に押さえつけることによって、前記清掃シートを前記保持面に係止保持させることが可能とされている、掃除シート取り付け台。
【請求項５】
請求項３又は４に記載の清掃シート取り付け台であって、
前記保持面の短辺の長さが１０ｍｍ以上とされている、清掃シート取り付け台。
【発明の詳細な説明】
【技術分野】
【０００１】
本発明は、清掃シートを取り付けて使用する掃除具において、清掃面を二面使用することで、清掃シートの交換回数を減らして、床、壁、畳などの清掃作業ができるようにした掃除具に関する。
【背景技術】
【０００２】
従来においては、特許文献１，特許文献２に記載されているように、清掃面が一面の掃除具に清掃シートを取り付けて使用する掃除具が知られている。
【０００３】
特許文献１に開示された掃除具は、着脱自在に保持する清掃本体下面部から覆うようにして清掃シートを清掃本体に巻き付けた後に、清掃シートの端部を、清掃本体の上面部の受孔部に押し込んで係着する。
【０００４】
この掃除具によれば、清掃シートの着脱操作を簡単かつ確実に行うことができる（特許文献１を参照。）。
【０００５】
特許文献２に開示された掃除具は、着脱自在に保持する清掃本体下面部から覆うようにして清掃シートを清掃本体に巻き付けた後に、清掃シートの端部を、回転可能な取付部と清掃本体の上面部のスリットに押し込んで係着する。
【０００６】
この掃除具によれば、清掃後に清掃シートの未使用面を容易に使用できる状態にすることができる（特許文献２を参照。）。
【先行技術文献】
【特許文献】
【０００７】
【特許文献１】特開２００５−１４３６１６
【特許文献２】特開２００７−１０５１６０
【発明の概要】
【発明が解決しようとする課題】
【０００８】
しかしながら、従来技術では、清掃面が一面であり、汚れたらたびたび清掃シートの取り替えをしなくてはならなかった。
【０００９】
また、清掃本体の上面部のスリットに押し込んで係着する清掃シートの端縁部の面積が広く、清掃シートを有効に利用できないという課題があった。
【００１０】
そこで、本発明が解決しようとする課題は、清掃シートの取り替え回数を減らすとともに、清掃シートを有効に利用することができる掃除具、および清掃シート取り付け台を提供することである。
【課題を解決するための手段】
【００１１】
この発明は、前記課題を解決するためになされたもので、請求項１に記載の清掃具は、清掃シートと、柄と、この柄に連設された清掃シート取り付け台とを備え、前記清掃シート取り付け台は、両側面が三角形面とされ、かつ周面に３つの矩形状面を有する三角柱体とされ、前記清掃シート取り付け台に前記清掃シートを着脱自在に被せて使用される、掃除具であって、前記清掃シート取り付け台は、側面視において、２つの等辺が底辺よりも長い二等辺三角形の形態とされていることにより、前記周面の３つの矩形状面のうち、前記２つの等辺に対応する２つの矩形状面は、前記底辺に対応する矩形状面よりもサイズが大きい２つの清掃面とされており、前記清掃シート取り付け台の前記両側面は、その両側から前記柄によって回動自在に挾持された状態で前記柄の一端に連接されていることにより、前記２つの清掃面を上下反転させることが可能になっており、前記清掃シート取り付け台の周面のうち、前記二等辺三角形の底辺に対応する矩形状面は、清掃シート固定具を装着するための溝及び凹部の少なくとも一方を有し、かつ前記清掃シート固定具を利用して前記清掃シートの両端部が係止保持される清掃シート用の保持面とされていることを特徴としている。
【００１２】
請求項１に記載の掃除具によれば、清掃シート取り付け台の２つの三角形面が両側から回動自在に挾持されて柄の一端と連接され、また、清掃シート取り付け台の清掃面が二面設けられたことにより、二面ある清掃面に被せた清掃シートの片面を使用後、汚れた場合、清掃シート取り付け台を回転させるだけで、容易に手を汚すことなく未使用面を使用できる状態に代えることができるので、従来の清掃面が一面のみの商品と比べ効率がよい。
【００１３】
請求項２に記載の清掃具は、請求項１において、前記保持面に設けられた前記溝は、前記保持面の長手方向に延びた形態であり、前記清掃シート固定具は、前記溝と同方向に延びるようにして前記溝に嵌合可能であり、前記清掃シートの両端部を前記清掃シート固定具によって前記溝に押さえつけることによって、前記清掃シートを前記保持面に係止保持させることが可能とされている。
【００１５】
請求項３に記載の清掃シート取り付け台は、両側面が三角形面とされ、かつ周面に３つの矩形状面を有する三角柱体に形成されており、前記周面に清掃シートが被せられるとともに、前記両側面に柄が連設されて使用される清掃具の清掃シート取り付け台であって、この清掃シート取り付け台は、側面視において、２つの等辺が底辺よりも長い二等辺三角形の形態とされていることにより、前記周面の３つの矩形状面のうち、前記２つの等辺に対応する２つの矩形状面は、前記底辺に対応する矩形状面よりもサイズが大きい２つの清掃面とされており、前記両側面は、その両側から前記柄によって回動自在に挾持された状態で前記柄の一端と連接されることにより、前記２つの清掃面を上下反転させることが可能であり、前記周面のうち、前記二等辺三角形の底辺に対応する矩形状面は、清掃シート固定具を装着するための溝及び凹部の少なくとも一方を有し、かつ前記清掃シート固定具を利用して前記清掃シートの両端部が係止保持される清掃シート用の保持面とされていることを特徴としている。
【００１６】
請求項３に記載の清掃シート取り付け台によれば、清掃シート取り付け台の２つの三角形面が両側から回動自在に挾持されて柄の一端と連接され、また、清掃シート取り付け台の清掃面が二面設けられたことにより、二面ある清掃面に被せた清掃シートの片面を使用後、汚れた場合、清掃シート取り付け台を回転させるだけで、容易に手を汚すことなく未使用面を使用できる状態に代えることができるので、従来の清掃面が一面のみの商品と比べ効率がよい。
【００１７】
請求項４に記載の清掃シート取り付け台は、請求項３において、前記保持面に設けられた前記溝は、前記保持面の長手方向に延びた形態であり、前記清掃シート固定具は、前記溝と同方向に延びるようにして前記溝に嵌合可能であり、前記清掃シートの両端部を前記清掃シート固定具によって前記溝に押さえつけることによって、前記清掃シートを前記保持面に係止保持させることが可能とされている。
【００１９】
請求項５に記載の清掃シート取り付け台は、請求項３又は請求項４において、前記保持面の短辺の長さを１０ｍｍ以上とすることを特徴としている。
【００２０】
請求項５に記載の清掃シート取り付け台によれば、請求項３又は請求項４の効果に加えて、保持面の短辺の長さを１０ｍｍ以上としたことにより、清掃シートの両端部を係止させるための保持面の幅を細くすることができ、その分、清掃に使用できる面が広くなり、清掃シートの有効活用ができる。
【発明の効果】
【００２１】
本発明によれば、清掃シートの取り替え回数を減らすとともに、清掃本体の上面部のスリットに押し込んで係着する清掃シートの端縁部の面積を少なくすることで、清掃シートを有効に利用することができる掃除具を提供することができる。
【図面の簡単な説明】
【００２２】
【図１】本発明の斜視図である。
【図２】実施例１の清掃シート取り付け台の斜視図である。
【図３】清掃シート固定棒の斜視図である。
【図４】清掃シート固定棒により、清掃シートを清掃シート取り付け台に係止する方法図の一つであり，Ａ−Ａ線断面図である。
【図５】清掃シート固定棒により、清掃シートを清掃シート取り付け台に係止した図の一つであり，Ａ−Ａ線断面図である。
【図６】実施例２の清掃シート取り付け台の斜視図である。
【図７】清掃シート固定板の斜視図である。
【図８】清掃シート固定板により、清掃シートを清掃シート取り付け台に係止する方法図の一つであり，Ｂ−Ｂ線断面図である。
【図９】清掃シート固定板により、清掃シートを清掃シート取り付け台に係止した図の一つであり，Ｂ−Ｂ線断面図である。
【図１０】実施例３の清掃シート取り付け台の斜視図である。
【図１１】清掃シート固定ピンの斜視図である。
【図１２】清掃シート固定ピンにより、清掃シートを清掃シート取り付け台に係止する方法図の一つであり，Ｃ−Ｃ線断面図である。
【図１３】清掃シート固定ピンにより、清掃シートを清掃シート取り付け台に係止した図の一つであり，Ｃ−Ｃ線断面図である。
【図１４】実施例４の清掃シート取り付け台の斜視図である。
【図１５】清掃シート固定差し込み板と清掃シート固定ピンの斜視図である。
【図１６】清掃シート差し込み板と清掃シート固定ピンにより、清掃シートを清掃シート取り付け台に係止する方法図の一つであり，Ｄ−Ｄ線断面図である。
【図１７】清掃シート差し込み板と清掃シート固定ピンにより、清掃シートを清掃シート取り付け台に係止した図の一つであり，Ｄ−Ｄ線断面図である。
【図１８】図１８は、清掃シート差し込み板と清掃シート固定ピンにより、清掃シートの裏面を、清掃シート取り付け台に係止する方法図の一つであり、Ｄ−Ｄ線断面図である。
【図１９】図１９は、清掃シート差し込み板と清掃シート固定ピンにより、清掃シートの裏面を清掃シート取り付け台に係止した図の一つであり、Ｄ−Ｄ線断面図である。
【発明を実施するための最良の形態】
【００２３】
本発明である掃除具を図面により説明する。
【００２４】
図１は、本発明の斜視図である。清掃シート取り付け台１は、鋭角二面角のある五面体で、広い四角形の二面を清掃用の清掃面として、広い四角形の二面外の四角面は清掃シート４の端部を係止するための四角面である。五面体の三角部分両面は、五面体の三角部分両側に、柄３を取り付け連結させるための面である。
【００２５】
清掃シート４を清掃シート取り付け台１に取り付ける場合は、清掃シート４一枚を清掃シート取り付け台１の広い四角形の二面を清掃用の清掃面として被せ、清掃シート取り付け台１の広い四角形の二面外の四角面に、清掃シート４の端部に清掃シート固定棒２を使い、清掃シート４を清掃シート取り付け台１に係止する。
【００２６】
また、清掃シート取り付け台１は、清掃シート取り付け台１の五面体の三角部分両面から、清掃シート取り付け台１を挟むようにした連結した柄３を取り付けた掃除具である。
【実施例１】
【００２７】
図２は、実施例１の清掃シート取り付け台１の斜視図である。清掃シート取り付け台１は、鋭角二面角のある五面体で、広い四角形の二面を清掃用の清掃面として、広い四角形の二面外の四角面は、清掃シート４の両端部を係止するための四角面である。
【００２８】
五面体の三角部分両面は、両側から挟むようにした柄３を取り付けるための穴部分を設けている。清掃シート取り付け台１の広い四角形の二面外の四角面に、清掃シート固定棒２が、清掃シート４の両端部を圧入して係止するため、二面角の面に平行にくぼみ部分を設けた清掃シート取り付け台１である。
【００２９】
図３は、清掃シート固定棒２の斜視図である。清掃シート固定棒２は丸い棒状であり、清掃シート取り付け台１の広い四角形の二面外の四角面の二面角に、平行に設けたくぼみ部分に、清掃シート４の両端部が挟めるようにした清掃シート固定棒２である。
【００３０】
図４は、清掃シート固定棒２により、清掃シート４を清掃シート取り付け台１に係止する方法図の一つであり，Ａ−Ａ線断面図である。清掃シート４一枚を清掃シート取り付け台１の広い四角形の二面の清掃面に被せ、清掃シート取り付け台１の広い四角形の二面の清掃面外の四角面のくぼみ部分に、清掃シート固定棒２で清掃シート４の両端部を圧入して挟み、清掃シート取り付け台１に清掃シート４を係止する。
【００３１】
図５は、清掃シート固定棒２により、清掃シート４を清掃シート取り付け台１に固定装着した図の一つであり，Ａ−Ａ線断面図である。清掃シート取り付け台１の広い四角形の二面の清掃面外の四角面のくぼみ部分に、清掃シート固定棒２で清掃シート４の両端部を圧入して挟み、清掃シート取り付け台１に清掃シート４を係止した形である。
【実施例２】
【００３２】
図６は、実施例２の清掃シート取り付け台１の斜視図である。清掃シート取り付け台１は、鋭角二面角のある五面体で、広い四角形の二面を清掃用の清掃面として、広い四角形の二面外の四角面は、清掃シート４の両端部を係止するための四角面である。
【００３３】
五面体の三角部分両面は、両側から挟むようにした柄３を取り付けるための穴部分を設けている。清掃シート取り付け台１の広い四角形の二面外の四角面に、清掃シート固定板５が、清掃シート４の両端部を圧入して係止するため、二面角の面に平行に凹部分を設けた清掃シート取り付け台１である。
【００３４】
図７は、清掃シート固定板５の斜視図である。清掃シート固定板５は板状であり、清掃シート取り付け台１の広い四角形の二面外の四角面の二面角に、平行に設けた凹部分に、清掃シート４の両端部が挟めるようにした清掃シート固定板５である。
【００３５】
図８は、清掃シート固定板５により、清掃シート４を清掃シート取り付け台１に係止する方法図の一つであり、Ｂ−Ｂ線断面図である。清掃シート４一枚を取り付け台の広い四角形の二面の清掃面に被せ、清掃シート取り付け台１の広い四角形の二面の清掃面外の四角面の凹部分に、清掃シート固定板５で清掃シート４の両端部を圧入して挟み、清掃シート取り付け台１に清掃シート４を係止する。
【００３６】
図９は、清掃シート固定板５により、清掃シート４を清掃シート取り付け台１に係止した図の一つであり、Ｂ−Ｂ線断面図である。清掃シート取り付け台１の広い四角形の二面の清掃面外の四角面の凹部分に、清掃シート固定板５で清掃シート４の端部を圧入して挟み、清掃シート取り付け台１に清掃シート４を係止した形である。
【実施例３】
【００３７】
図１０は、実施例３の清掃シート取り付け台１の斜視図である。清掃シート取り付け台１は、鋭角二面角のある五面体で、広い四角形の二面を清掃用の清掃面として、広い四角形の二面外の四角面は清掃シート４の両端部を係止するための四角面である。
【００３８】
五面体の三角部分両面は、両側から挟むようにした柄３を取り付けるための穴部分を設けている。清掃シート取り付け台１の広い四角形の二面外の四角面に、清掃シート固定ピン６が、清掃シート４の両端部を圧入して係止するため、二面角の面に平行に丸穴部分を設けた清掃シート取り付け台１である。
【００３９】
図１１は清掃シート固定ピン６の斜視図である。清掃シート固定ピン６は、ピン状であり、清掃シート取り付け台１の広い四角形の二面外の四角面に、二面角の面に平行に設けた丸穴部分に、清掃シート４の両端部を挟むことができる。
【００４０】
図１２は、清掃シート固定ピン６により、清掃シート４を清掃シート取り付け台１に装着する方法図の一つであり、Ｃ−Ｃ線断面図である。
【００４１】
清掃シート４一枚を取り付け台の広い四角形の二面の清掃面に被せ、清掃シート取り付け台１の広い四角形の二面の清掃面外の四角面の丸穴部分に、清掃シート固定ピン６で清掃シート４の両端部を圧入して挟み、清掃シート取り付け台１に清掃シート４を係止する。
【００４２】
図１３は、清掃シート固定ピン６により、清掃シート４を清掃シート取り付け台１に装着した図の一つであり，Ｃ−Ｃ線断面図である。
【００４３】
清掃シート取り付け台１の広い四角形の二面の清掃面外の四角面の丸穴部分に、清掃シート固定ピン６で清掃シート４の両端部を圧入して挟み、清掃シート取り付け台１に清掃シート４を係止した形である。
【実施例４】
【００４４】
図１４は、実施例４の清掃シート取り付け台１の斜視図である。清掃シート取り付け台１は、鋭角二面角のある五面体で、広い四角形の二面を清掃用の清掃面として、広い四角形の二面外の四角面は清掃シート４の端部を係止するための四角面である。
【００４５】
五面体の三角部分両面は、両側から挟むようにした柄３を取り付けるための穴部分を設けている。
【００４６】
清掃シート取り付け台１は、広い四角形の二面外の四角面に、清掃シート固定差し込み板７と、清掃シート固定ピン６が、清掃シート４のそれぞれ一端部を圧入して係止するため、二面角の面に平行に凹部分と丸穴部分を設けている。
【００４７】
図１５は清掃シート固定差し込み板７と清掃シート固定ピン６の斜視図である。清掃シート差し込み板７は板状であり、清掃シート取り付け台１の広い四角形の二面外の四角面の、二面角の面に平行に設けた中央の凹部分に、清掃シート４の一端部が挟めるようにしており、また、清掃シート固定ピン６はピン状であり、清掃シート取り付け台１の広い四角形の二面外の四角面の、二面角に平行に設けた丸穴部分に清掃シート４の他の一端部が挟むことができる。
【００４８】
図１６は、清掃シート差し込み板７と清掃シート固定ピン６により、清掃シート４を清掃シート取り付け台１に係止する方法図の一つであり、Ｄ−Ｄ線断面図である。
【００４９】
清掃シート４一枚を、清掃シート取り付け台１の広い四角形の二面の清掃面に被せ、清掃シート取り付け台１の広い四角形の二面の清掃面外の四角面のそれぞれに凹部分と丸穴部分に、清掃シート差し込み板７で清掃シート４のそれぞれの一端部を圧入して挟み、清掃シート取り付け台１に清掃シート４を係止する。
【００５０】
図１７は、清掃シート差し込み板７と清掃シート固定ピン６により、清掃シート４を清掃シート取り付け台１に係止した図の一つであり，Ｄ−Ｄ線断面図である。
【００５１】
清掃シート４一枚を、清掃シート取り付け台１の広い四角形の二面の清掃面に被せ、清掃シート取り付け台１の広い四角形の二面の清掃面外の四角面のそれぞれに凹部分と丸穴部分に、清掃シート差し込み板７と清掃シート固定ピン６で、清掃シート４のそれぞれの一端部を圧入して挟み、清掃シート取り付け台１に清掃シート４を係止した形である。
【００５２】
図１８は、清掃シート差し込み板７と清掃シート固定ピン６により、清掃シート４の裏面を、清掃シート取り付け台１に係止する方法図の一つであり、Ｄ−Ｄ線断面図である。
【００５３】
清掃シート取り付け台１に、係止した清掃シート４一枚を、清掃シート取り付け台１の広い四角形の二面の清掃面外の四角面の丸穴部分から、清掃シート固定ピン６を抜き、清掃シート差し込み板７は、そのまま清掃シート取り付け台１の広い四角形の二面の清掃面外の四角面に係止した形で、清掃シート４を裏返しして、清掃シート固定ピン６をもう一方の丸穴部分に、清掃シート４の一端部を圧入して挟み、清掃シート取り付け台１に清掃シート４を係止する。
【００５４】
図１９は、清掃シート差し込み板７と清掃シート固定ピン６により、清掃シート４の裏面を清掃シート取り付け台１に係止した図の一つであり、Ｄ−Ｄ線断面図である。清掃シート取り付け台１に、係止した清掃シート４一枚を、清掃シート取り付け台１の広い四角形の二面の清掃面外の四角面の丸穴部分から、清掃シート固定ピン６を抜き、清掃シート差し込み板７は、そのまま清掃シート取り付け台１の広い四角形の二面の清掃面外の四角面に係止した形で、清掃シート４を裏返して、清掃シート固定ピン６をもう一方の丸穴部分に、清掃シート４の一端部を圧入して挟み、清掃シート取り付け台１に清掃シート４を係止した形である。
【００５５】
実施例４を利用することにより、清掃シート４の面を、清掃シート取り付け台１の広い四角形の二面外の四角面に、清掃シート４一端部を係止した状態で、清掃シート４を裏返して、清掃シート４の他の一端部を広い四角形の二面外の四角面に再度係止することで、清掃シートの裏表面を利用することができるため、清掃シート４の有効利用、手間を考えると効果的であると考えられる。
【００５６】
他の利用として、広い四角形の二面外の四角面に、清掃シート固定ピン６で、清掃シート４の一端部、及び、清掃シート４の一端部を係止して、使用することも考えられる。
【００５７】
清掃シート取り付け台１の広い四角形の二面の清掃面外の四角面に、清掃シート４の一端部、あるいは、両端部を係止するための方法として、清掃シート取り付け台１に、棒状、板状、ピン状の固定具で、清掃シート４の一端部、あるいは、両端部を圧入して挟み、清掃シート取り付け台１、清掃シート４を清掃シート取り付け台１に係止する以外に、清掃シート取り付け台１の二等辺三角形の側面と、棒状、板状、ピン状の固定具との間を、バンド状、帯状などで、連結して係止する方法も考えられる。
【００５８】
なお、本発明は前述した実施形態のみに限定されるものではなく、本発明の要旨を逸脱しない範囲において種々の変更が可能であることは勿論である。
【符号の説明】
【００５９】
１  清掃シート取り付け台
２  清掃シート固定棒
３  柄
４  清掃シート
５  清掃シート固定板
６  清掃シート固定ピン
７  清掃シート固定差し込み板
【要約】
【課題】清掃シートの取り替え回数を減らすとともに、清掃シートを有効に利用することができる掃除具を提供する。【解決手段】清掃シート取り付け台１は、側面視において、２つの等辺が底辺よりも長い二等辺三角形の三角柱体とされていることにより、周面の３つの矩形状面のうち、２つの等辺に対応する２つの矩形状面は、底辺に対応する矩形状面よりもサイズが大きい２つの清掃面とされ、清掃シート取り付け台１の両側面は、柄によってその両側から回動自在に挾持された状態で柄３の一端と連接されていることにより、前記２つの清掃面を上下反転させることが可能であり、清掃シート取り付け台１の周面のうち、二等辺三角形の底辺に対応する矩形状面は、清掃シート固定具１を装着するための溝及び凹部の少なくとも一方が設けられた清掃シート用の保持面である。【図１】
0005232965.tif 000002
【図２】
0005232965.tif 000003
【図３】
0005232965.tif 000004
【図４】
0005232965.tif 000005
【図５】
0005232965.tif 000006
【図６】
0005232965.tif 000007
【図７】
0005232965.tif 000008
【図８】
0005232965.tif 000009
【図９】
0005232965.tif 000010
【図１０】
0005232965.tif 000011
【図１１】
0005232965.tif 000012
【図１２】
0005232965.tif 000013
【図１３】
0005232965.tif 000014
【図１４】
0005232965.tif 000015
【図１５】
0005232965.tif 000016
【図１６】
0005232965.tif 000017
【図１７】
0005232965.tif 000018
【図１８】
0005232965.tif 000019
【図１９】
0005232965.tif 000020